(57)【要約】      （修正有）【課題】  一体型走査光学系ユニットの小型化を図ると共に装置全体の小型化を図ることができる画像読取装置を得ること。【解決手段】  原稿を照明する光源手段により照明された原稿からの光束を反射させる複数のミラーと複数のミラーで反射された光束を結像させる結像光学系と結像光学系の結像位置に配置された読取手段とを一体的に収納した一体型走査光学系ユニットを走査方向に移動させて原稿の画像情報を読取る際、複数のミラーのうち光学的に最も原稿面側に配置されるミラーは副走査断面内において他の複数のミラーに比べて一体型走査光学系ユニット内の副走査方向の端部に配置されており、且つミラーの反射面の中心部は原稿面の法線方向において、光学的に最も結像光学系の入射面前方に配置されたミラーの反射面の中心部と他の複数のミラーの反射面の中心部との間の空間に位置していること。【選択図】    図１
2008067151.tif 000002
【特許請求の範囲】
【請求項１】
原稿を照明する光源手段と、該光源手段により照明された原稿からの光束を反射させる複数のミラーと、読取手段と、該複数のミラーで反射された光束を該読取手段上に結像させる結像光学系と、を一体的に収納した一体型走査光学系ユニットを副走査方向に移動させて、該原稿の画像情報を読取る画像読取装置において、
該複数のミラーのうち光学的に最も該原稿面側に配置されるミラーは、副走査断面内において他の複数のミラーに比べて該一体型走査光学系ユニット内の副走査方向の端部に配置されており、且つ、副走査断面内において、該ミラーの反射面の中心部は、該原稿面の法線方向において光学的に最も該結像光学系の入射面前方に配置されたミラーの反射面の中心部と他の複数のミラーの反射面の中心部との間の空間に位置していることを特徴とする画像読取装置。
【請求項２】
前記複数のミラーは第１、第２、第３、第４ミラーより成り、副走査断面内において、前記原稿からの光束が該第１ミラーで反射された後、該第２ミラーへ入射し、該第２ミラーで反射された光束が該第３ミラーへ入射し、該第３ミラーで反射された光束が該第１ミラーと該第２ミラーとの間の光路を交差して通過後、該第４ミラーへ入射し、該第４ミラーで反射された光束が前記結像光学系に入射するように各ミラーを配置したことを特徴とする請求項１に記載の画像読取装置。
【請求項３】
前記複数のミラーは第１、第２、第３、第４ミラーより成り、副走査断面内において、前記原稿からの光束が該第１ミラーで反射された後、該第２ミラーへ入射し、該第２ミラーで反射された光束が該第３ミラーへ入射し、該第３ミラーで反射された光束が再度該第２ミラーへ入射し、該第２ミラーで反射された光束が該第４ミラーへ入射し、該第４ミラーで反射された光束が該第１ミラーと該第２ミラーとの間の光路を交差して通過後、再度該第３ミラーへ入射し、該第３ミラーで反射された光束が前記結像光学系に入射するように各ミラーを配置したことを特徴とする請求項１に記載の画像読取装置。
【請求項４】
副走査断面内において、前記原稿面から前記光源手段の中心までの距離をａ（ｍｍ）、該原稿面から光学的に最も該原稿面側に配置されるミラーの反射面中心までの距離をｂ（ｍｍ）、該原稿面から物理的に最も該原稿面側に配置されるミラーの反射面中心までの距離をｃ（ｍｍ）、該原稿面から主走査方向及び副走査方向に直交する方向に最も遠くに配置されるミラーの反射面中心までの距離をｄ（ｍｍ）とするとき、
ａ＜ｃ＜ｂ＜ｄ
０．３＜ａ／ｂ＜０．４
０．２＜ａ／ｄ＜０．３
ｄ＜３５．０ｍｍ
なる条件を満足するように前記複数のミラーは配置されていることを特徴とする請求項１、２又は３に記載の画像読取装置。
【請求項５】
副走査断面であって、前記光学的に最も該原稿面側に配置されるミラーの反射面は、前記一体型走査光学系ユニットの前記原稿面から主走査方向及び副走査方向に直交する方向において最も遠くに配置されたミラーの反射面が含まれる平面よりも、該原稿面から遠い方向に配置されていることを特徴とする請求項１から４の何れか１項に記載の画像読取装置。
【請求項６】
副走査断面内であって、前記第４ミラーと前記結像光学系は、主走査方向及び副走査方向に直交する方向において前記第１、第２、第３ミラーよりも原稿面より遠くの位置に配置されていることを特徴とする請求項２に記載の画像読取装置。
【請求項７】
副走査断面であって、前記第４ミラーと前記結像光学系は、主走査方向及び副走査方向に直交する方向において前記第１、第２、第３ミラーよりも原稿面側に配置されていることを特徴とする請求項２に記載の画像読取装置。
【請求項８】
副走査断面であって、前記第３ミラーと前記結像光学系は、主走査方向及び副走査方向に直交する方向において前記第１、第２、第４ミラーよりも原稿面より遠くの位置に配置されていることを特徴とする請求項３に記載の画像読取装置。
【発明の詳細な説明】
【技術分野】
【０００１】
本発明は画像読取装置に関するものである。特に光源手段、複数のミラー、結像光学系、そして読取手段を含む一体型走査光学系ユニットを用いて原稿の画像情報を読取るようにした、イメージスキャナーやデジタル複写機等の装置に好適な画像読取装置に関するものである。
【背景技術】
【０００２】
従来よりイメージスキャナーやデジタル複写機等の画像読取装置が種々と提案されている。
【０００３】
図５は一体型走査光学系ユニットを有する画像読取装置の要部概略図である。
【０００４】
同図における一体型走査光学系ユニット（以下「キャリッジ」とも称す。）507は原稿台ガラス（原稿台）502上に載置された原稿501を照明する光源手段503により照明された原稿501からの光束を読取るラインセンサー505を有する。さらに原稿501からの光束をラインセンサー505に導く複数の走査用のミラー504a〜504d、該原稿501からの画像情報に基づく光束をラインセンサー505面上に結像させる結像レンズ506等を有する。
【０００５】
このように構成されたキャリッジ507は駆動手段としての副走査モータ508により同図に示す矢印Ａ方向に副走査される。
【０００６】
一体型走査光学系ユニット507を構成する各要素は、その各要素の相対位置関係を変えずに原稿を走査するものである。
【０００７】
同図において複数の走査用のミラーは第１ミラー504a、第２ミラー504b、第３ミラー504c、そして第４ミラー504dから成る。各ミラーは、原稿501からの光束が第１ミラー504aから第２ミラー504bへ、第２ミラー504bから第３ミラー504cへ、第３ミラー504cから第４ミラー504dへ入射するようにそれぞれ配置されている。そして第４ミラー504dへ入射した光束は結像レンズ506へ入射し、ラインセンサー505面上へ結像する。
【０００８】
このような構成においてラインセンサー505で読取られた原稿の画像情報は電気信号として特定の画像処理部（不図示）に送られ、特定の信号処理を施された後に出力されるようになっている。また画像読取装置は、本装置を駆動するための電源部（不図示）を併せ持っている。
【０００９】
ところで従来よりこの種の画像読取装置においては、キャリッジ507に対して小型化の要望が強い。近年になって、装置本体の薄型化が進み、特にキャリッジの上下方向（原稿面１０１の法線方向）への小型化の要望が更に強まっている。この解決法としては、主に結像レンズを広画角化し、原稿からラインセンサーに至るまでの光路長を短縮する方法や、ミラーの反射回数、もしくは枚数を増やしながら、キャリッジ全体の小型化を進める方法等が挙げられる。
【００１０】
しかしながら、結像レンズを広画角化すると、該結像レンズの入射画角のｃｏｓ４乗則に比例する周辺光量の減少が生じるため、より強力な照明光源が必要になる。また結像レンズの収差が大きくなるため、上記ラインセンサーにおいて原稿画像に対応して正確な画像の読取りができないという問題点も生じてくる。
【００１１】
一方で、ミラーの反射回数、もしくは枚数を増やしながら、キャリッジ全体の小型化を図るようにした画像読取装置が種々と提案されている（特許文献１、２参照）。
【００１２】
特許文献１では、複数のミラーのうち、第１、第２ミラーを多重反射ミラーより構成し、該第１、第２ミラーの多重反射によって反射回数を増やすことで、キャリッジ全体の小型化を実現している。
【００１３】
特許文献２では、結像レンズよりも原稿面１０１側で光線を折り曲げることにより、キャリッジ全体の小型化を実現している。
【特許文献１】特開２００１−１７４９３２号公報
【特許文献２】特開２０００−５００３１号公報
【発明の開示】
【発明が解決しようとする課題】
【００１４】
特許文献１では、キャリッジ全体の小型化は容易と成るが、多重反射を構成するミラーが大きくなる傾向があった。
【００１５】
特許文献２では、キャリッジの左右方向の小型化には効果があるが、左右方向に比べて上下方向が長くなる傾向があった。
【００１６】
本発明は一体型走査光学系ユニットの小型化を図ると共に装置全体の小型化を図ることができる画像読取装置の提供を目的とする。
【課題を解決するための手段】
【００１７】
請求項１の発明の画像読取装置は、
原稿を照明する光源手段と、該光源手段により照明された原稿からの光束を反射させる複数のミラーと、読取手段と、該複数のミラーで反射された光束を該読取手段上に結像させる結像光学系と、を一体的に収納した一体型走査光学系ユニットを副走査方向に移動させて、該原稿の画像情報を読取る画像読取装置において、
該複数のミラーのうち光学的に最も該原稿面側に配置されるミラーは、副走査断面内において他の複数のミラーに比べて該一体型走査光学系ユニット内の副走査方向の端部に配置されており、且つ、副走査断面内において、該ミラーの反射面の中心部は、該原稿面の法線方向において光学的に最も該結像光学系の入射面前方に配置されたミラーの反射面の中心部と他の複数のミラーの反射面の中心部との間の空間に位置していることを特徴としている。
【００１８】
請求項２の発明は請求項１の発明において、
前記複数のミラーは第１、第２、第３、第４ミラーより成り、副走査断面内において、前記原稿からの光束が該第１ミラーで反射された後、該第２ミラーへ入射し、該第２ミラーで反射された光束が該第３ミラーへ入射し、該第３ミラーで反射された光束が該第１ミラーと該第２ミラーとの間の光路を交差して通過後、該第４ミラーへ入射し、該第４ミラーで反射された光束が前記結像光学系に入射するように各ミラーを配置したことを特徴としている。
【００１９】
請求項３の発明は請求項１の発明において、
前記複数のミラーは第１、第２、第３、第４ミラーより成り、副走査断面内において、前記原稿からの光束が該第１ミラーで反射された後、該第２ミラーへ入射し、該第２ミラーで反射された光束が該第３ミラーへ入射し、該第３ミラーで反射された光束が再度該第２ミラーへ入射し、該第２ミラーで反射された光束が該第４ミラーへ入射し、該第４ミラーで反射された光束が該第１ミラーと該第２ミラーとの間の光路を交差して通過後、再度該第３ミラーへ入射し、該第３ミラーで反射された光束が前記結像光学系に入射するように各ミラーを配置したことを特徴としている。
【００２０】
請求項４の発明は請求項１、２又は３の発明において、
副走査断面内において、前記原稿面から前記光源手段の中心までの距離をａ（ｍｍ）、該原稿面から光学的に最も該原稿面側に配置されるミラーの反射面中心までの距離をｂ（ｍｍ）、該原稿面から物理的に最も該原稿面側に配置されるミラーの反射面中心までの距離をｃ（ｍｍ）、該原稿面から主走査方向及び副走査方向に直交する方向に最も遠くに配置されるミラーの反射面中心までの距離をｄ（ｍｍ）とするとき、
ａ＜ｃ＜ｂ＜ｄ
０．３＜ａ／ｂ＜０．４
０．２＜ａ／ｄ＜０．３
ｄ＜３５．０ｍｍ
なる条件を満足するように前記複数のミラーは配置されていることを特徴としている。
【００２１】
請求項５の発明は請求項１から４の何れか１項の発明において、
副走査断面であって、前記光学的に最も該原稿面側に配置されるミラーの反射面は、前記一体型走査光学系ユニットの前記原稿面から主走査方向及び副走査方向に直交する方向において最も遠くに配置されたミラーの反射面が含まれる平面よりも、該原稿面から遠い方向に配置されていることを特徴としている。
【００２２】
請求項６の発明は請求項２の発明において、
副走査断面内であって、前記第４ミラーと前記結像光学系は、主走査方向及び副走査方向に直交する方向において前記第１、第２、第３ミラーよりも原稿面より遠くの位置に配置されていることを特徴としている。
【００２３】
請求項７の発明は請求項２の発明において、
副走査断面であって、前記第４ミラーと前記結像光学系は、主走査方向及び副走査方向に直交する方向において前記第１、第２、第３ミラーよりも原稿面側に配置されていることを特徴としている。
【００２４】
請求項８の発明は請求項３の発明において、
副走査断面であって、前記第３ミラーと前記結像光学系は、主走査方向及び副走査方向に直交する方向において前記第１、第２、第４ミラーよりも原稿面より遠くの位置に配置されていることを特徴としている。
【発明の効果】
【００２５】
本発明によれば照明系を配置する空間を十分確保しながらも、一体型走査光学系ユニットの上下方向の大きさを薄くすることができ、これにより装置全体の小型化を図ることができる画像読取装置を達成することができる。
【発明を実施するための最良の形態】
【００２６】
以下、図面を用いて本発明の実施例を説明する。
【００２７】
本実施例において、光学的な間隔とは、光束が進行する方向の間隔（光路長）を意味する。
【００２８】
また、本実施例において、物理的な間隔は、副走査断面内において定義され、主走査方向及び副走査方向と直交する方向の間隔を意味する。
【実施例１】
【００２９】
図１は本発明の実施例１の画像読取装置の要部概略図である。同図においては本発明の画像読取装置を、イメージスキャナーの装置に適用したときを示している。
【００３０】
尚、以下の説明において、キャリッジ１０７の左右方向とは駆動手段（副走査モータ）１０８によってキャリッジ１０７が駆動される方向のことで、副走査方向に相当している。またキャリッジの上下方向とは原稿面１０１の法線方向のことであり、上側の方向とは原稿面１０１側の方向のことであり、下側の方向とはその逆の方向のことである。主走査方向とは読取手段１０５の画素の並び方向（紙面垂直方向）である。
【００３１】
図中、１は画像読取装置本体、１０２は原稿台（原稿台ガラス）であり、その原稿台１０２面上に原稿（原稿面）１０１が載置されている。１０７は一体型走査光学系ユニットであり、後述する光源手段１０３、走査用の複数のミラー１０４ａ〜１０４ｄ、結像光学系１０６、そして読取手段１０５等が収納されている。一体型走査光学系ユニット１０７は、モータ等の駆動手段１０８により原稿面１０１上を副走査方向（図１において矢印Ａ方向）へ走査し、原稿１０１の画像情報を読取手段１０５で読取っている。
【００３２】
尚、一体型走査光学系ユニット１０７と原稿１０１の少なくとも一方を移動させ、双方を相対的に移動させて、該原稿１０１の画像情報を読取るようにしても良い。一体型走査光学系ユニット１０７を以下「キャリッジ」とも称す。
【００３３】
１０３は光源手段であり、例えば蛍光灯やハロゲンランプ等より成っている。１０４ａ，１０４ｂ，１０４ｃ，１０４ｄは各々順に第１，第２，第３，第４ミラーであり、後述する位置に配置されており、原稿１０１からの光束を反射させている。１０６は結像光学系としての結像レンズであり、原稿１０１の画像情報に基づく光束を読取手段１０５面上に結像させている。１０５は読取手段としてのラインセンサーやイメージセンサー等の電荷結合素子である。読取手段１０５の各画素は主走査方向（紙面垂直方向）に配置されている。
【００３４】
１０８は駆動手段としての副走査モータであり、キャリッジ１０７を副走査方向に移動させている。副走査モータ１０８は副走査断面内において、走査終了側（図面上、右側）に配置されている。
【００３５】
走査用の複数のミラーは第１，第２，第３，第４ミラー１０４ａ，１０４ｂ，１０４ｃ，１０４ｄの４枚のミラーより成っている。
【００３６】
本実施例では原稿１０１からの光束が、第１ミラー１０４ａで反射された後、第２ミラー１０４ｂへ入射し、第２ミラー１０４ｂで反射された光束が第３ミラー１０４ｃへ入射するように各ミラーを配置している。さらに第３ミラー１０４ｃで反射された光束が第１ミラー１０４ａと第２ミラー１０４ｂとの間の光路を交差して通過後、第４ミラー１０４ｄへ入射し、第４ミラー１０４ｄで反射された光束が結像レンズ１０６に入射するように各ミラーを配置している。
【００３７】
また本実施例では複数のミラーのうち光学的に最も原稿面１０１側に配置される第１ミラー１０４ａを、副走査断面内においてキャリッジ１０７の左側の端部（左端）に配置している。さらに第１ミラー１０４ａの反射面の中心部を、上下方向において、光学的に最も結像レンズ１０６の入射面前方に配置された第４ミラー１０４ｄの反射面の中心部と他の第２、第３ミラー１０４ｂ、１０４ｃの反射面の中心部との間の空間に配置している。
【００３８】
また本実施例においては第４ミラー１０４ｄと結像レンズ１０６を、第１、第２、第３ミラー１０４ａ，１０４ｂ，１０４ｃよりも物理的に下側に配置している。即ち、原稿面１０１側よりも遠くの位置に配置している。
【００３９】
本実施例において、キャリッジ１０７内の左端に配置された光源手段１０３を含む照明系１１１により放射された光束は原稿１０１の下面を照明し、原稿１０１からの拡散光束の一部が図１において鉛直下方（下側）へ進む。鉛直下方へ進んだ光束はキャリッジ１０７の左端に配置された第１ミラー１０４ａに入射する。第１ミラー１０４ａに入射した光束は特定の角度でキャリッジ１０７の右上方へ反射され、キャリッジ１０７の右上端側に配置された第２ミラー１０４ｂに入射する。第２ミラー１０４ｂに入射した光束は特定の角度でキャリッジ１０７の左方へ反射され、光源手段１０３の右側に配置された第３ミラー１０４ｃに入射する。第３ミラー１０４ｃに入射した光束は特定の角度でキャリッジ１０７の下方へ第１ミラー１０４ａと第２ミラー１０４ｂとの間の光路を交差して反射され、キャリッジ１０７の下端側に配置された第４ミラー１０４ｄに入射する。キャリッジ１０７の下端側に配置された第４ミラー１０４ｄに入射した光束は原稿面１０１に対して水平方向に反射され、結像レンズ１０６によりラインセンサー１０５面上に結像する。そしてキャリッジ１０７を図１に示す矢印Ａ方向（副走査方向）に移動させることにより、原稿１０１の画像情報を読み取っている。
【００４０】
本実施例のキャリッジ１０７は光源手段１０３とミラー１０９を含んだ照明系１１１をキャリッジ１０７端部に配置する構成となるために、副走査断面内において、該照明系１１１の左右方向の空間にミラーを配置することが可能となる。これにより第１ミラー１０４ａから第２ミラー１０４ｂまでの距離、また第２ミラー１０４ｂから第３ミラー１０４ｃまでの距離を広げることができ、キャリッジ１０７の上下方向を小型化にすることができる。
【００４１】
本実施例においては副走査断面内において、原稿面１０１から光源手段１０３の中心までの距離をａ（ｍｍ）、該原稿面１０１から光学的に最も該原稿面１０１側に配置されるミラー１０４ａの反射面中心までの距離をｂ（ｍｍ）とする。さらに原稿面１０１から物理的に最も該原稿面１０１側に配置されるミラー１０４ｃの反射面中心までの距離をｃ（ｍｍ）、該原稿面１０１から物理的に最も下側に(最も遠くに)配置されるミラー１０４ｄの反射面中心までの距離をｄ（ｍｍ）とする。このとき、
ａ＜ｃ＜ｂ＜ｄ・・・(1)
０．３＜ａ／ｂ＜０．４・・・(2)
０．２＜ａ／ｄ＜０．３・・・(3)
ｄ＜３５．０ｍｍ・・・(4)
なる条件を満足するように複数のミラーを配置している。
【００４２】
条件式(1)〜(4)は、各々複数のミラーの配置距離を設定するための条件である。条件式(1)〜(4)のうち、少なくとも１つの条件を外れると、キャリッジ全体の小型化を図るので難しくなってくるので良くない。
【００４３】
本実施例では、
ａ＝7.7ｍｍ、ｂ＝21.8ｍｍ、ｃ＝14.0ｍｍ、ｄ＝29.0ｍｍ
である。これら各数値を上記条件式(1)〜(4)に当てはめると、
条件式(1)  ａ＜ｃ＜ｂ＜ｄ＝7.7ｍｍ＜14.0ｍｍ＜21.8ｍｍ＜29.0ｍｍ
条件式(2)  ａ／ｂ＝0.35
条件式(3)  ａ／ｄ＝0.27
条件式(4)  ｄ＝29.0ｍｍ
となる。これは各条件式(1)〜(4)を全て満足している。
【００４４】
尚、本実施例において、さらに望ましくは上記条件式(2)〜(4)を次の如く設定するのが良い。
【００４５】
０．３３＜ａ／ｂ＜０．３８・・・(2a)
０．２１＜ａ／ｄ＜０．２９・・・(3a)
２５ｍｍ＜ｄ＜３４ｍｍ              ・・(4a)
更に本実施例において第１ミラー１０４ａの反射面は、図２に示すように副走査断面内においてキャリッジ１０７の物理的に最下部に配置された第４ミラー１０４ｄの反射面が含まれる平面よりも、原稿面１０１から遠い方向に配置している。尚、図２は第１ミラー１０４ａと第４ミラー１０４ｄの配置を示す拡大説明図である。
【００４６】
本実施例では上記のように第１ミラー１０４ａと第４ミラー１０４ｄを配置することにより、該第１ミラー１０４ａに入射する原稿１０１からの反射光以外の散乱光を、該第４ミラー１０４ｄの裏面によって遮光することができる。これにより本実施例ではゴーストやフレアの原因となる散乱光を減少させることができる。
【００４７】
このように本実施例では上記の如くキャリッジ１０７を有する画像読取装置において、複数のミラーを含めた各要素の配置等を適切に設定することにより、該キャリッジ１０７の小型化、特に上下方向の小型化を図ると共に装置全体の小型化を図ることができる。
【００４８】
尚、本実施例では光学的に最も原稿面１０１側に配置される第１ミラー１０４ａを、副走査断面内においてキャリッジ１０７の左端に配置したが、その逆の構成、つまりキャリッジ１０７の右端に配置しても良い。
【００４９】
また結像光学系１０６はレンズに限らず、反射曲面を含む、もしくは反射曲面のみから構成しても良い。
【実施例２】
【００５０】
図３は本発明の実施例２の画像読取装置の要部概略図である。同図においては本発明の画像読取装置を、イメージスキャナーの装置に適用したときを示している。同図において図１に示した要素と同一要素には同符番を付している。
【００５１】
本実施例において前述の実施例１と異なる点は、キャリッジ２０７の最下部に、第２ミラー２０４ｂ、第３ミラー２０４ｃを配置し、原稿面１０１側に第４ミラー２０４ｄ、結像レンズ２０６を配置してキャリッジ２０７を構成したことである。その他の構成及び光学的作用は実施例１と同様であり、これにより同様な効果を得ている。
【００５２】
本実施例において走査用の複数のミラーは第１，第２，第３，第４ミラー２０４ａ，２０４ｂ，２０４ｃ，２０４ｄの４枚のミラーより成っている。
【００５３】
本実施例では原稿１０１からの光束が、第１ミラー２０４ａで反射された後、第２ミラー２０４ｂへ入射し、該第２ミラー２０４ｂで反射された光束が第３ミラー２０４ｃへ入射するように各ミラーを配置している。さらに第３ミラー２０４ｃで反射された光束が第１ミラー２０４ａと第２ミラー２０４ｂとの間の光路を交差して通過後、第４ミラー２０４ｄへ入射し、該第４ミラー２０４ｄで反射された光束が結像レンズ１０６に入射するように各ミラーを配置している。
【００５４】
また本実施例では複数のミラーのうち光学的に最も原稿面１０１側に配置される第１ミラー２０４ａを、副走査断面内においてキャリッジ２０７の左側の端部（左端）に配置している。さらに第１ミラー２０４ａの反射面の中心部を、上下方向において、光学的に最も結像レンズ１０６の入射面前方に配置された第４ミラー２０４ｄの反射面の中心部と他の第２、第３ミラー２０４ｂ、２０４ｃの反射面の中心部との間の空間に配置している。
【００５５】
また本実施例では上記の如く第４ミラー２０４ｄと結像レンズ１０６を第１、第２、第３ミラー２０４ａ、２０４ｂ、２０４ｃよりも物理的に原稿面１０１側（上側）に配置している。
【００５６】
本実施例において、キャリッジ２０７内の左端に配置された光源手段１０３とミラー１０９を含む照明系１１１により放射された光束は原稿１０１の下面を照明し、原稿１０１からの拡散光束の一部が図３において鉛直下方へ進む。鉛直下方へ進んだ光束はキャリッジ２０７の左端に配置された第１ミラー２０４ａに入射する。第１ミラー２０４ａに入射した光束は特定の角度でキャリッジ２０７の右下方へ反射され、該キャリッジ１０７の右下端側に配置された第２ミラー２０４ｂに入射する。第２ミラー２０４ｂに入射した光束は特定の角度でキャリッジ２０７の左方へ反射され、該キャリッジ２０７の左下側に配置された第３ミラー２０４ｃに入射する。第３ミラー２０４ｃに入射した光束は特定の角度でキャリッジ２０７の上方へ反射され、光源手段１０３の右側に配置された第４ミラー２０４ｄに入射する。光源手段１０３の右側に配置された第４ミラー２０４ｄに入射した光束は原稿面１０１に対して水平方向に反射され、結像レンズ１０６によりラインセンサー１０５面上に結像する。そしてキャリッジ２０７を図３に示す矢印Ａ方向（副走査方向）に移動させることにより、原稿１０１の画像情報を読み取っている。
【００５７】
本実施例では前述した実施例１と同様に複数のミラーは各条件式(1)〜(4)を満たすように配置されている。本実施例では、
ａ＝7.7ｍｍ、ｂ＝21.8ｍｍ、ｃ＝14.0ｍｍ、ｄ＝29.0ｍｍ
であり、これら各数値を上記条件式(1)〜(4)に当てはめると、
条件式(1)  ａ＜ｃ＜ｂ＜ｄ＝7.7ｍｍ＜14.0ｍｍ＜21.8ｍｍ＜29.0ｍｍ
条件式(2)  ａ／ｂ＝0.35
条件式(3)  ａ／ｄ＝0.27
条件式(4)  ｄ＝29.0ｍｍ
となる。これは各条件式(1)〜(4)を全て満足している。
【００５８】
更に本実施例において第１ミラー２０４ａの反射面は、副走査断面内においてキャリッジ２０７の最下部に配置された第３ミラー２０４ｃの反射面が含まれる平面よりも、原稿面１０１から遠い方向に配置されている。
【００５９】
このように本実施例では上記の如くキャリッジ２０７を有する画像読取装置において、複数のミラーを含めた各要素の配置等を適切に設定することにより、該キャリッジ２０７の小型化、特に上下方向の小型化を図ると共に装置全体の小型化を図ることができる。
【実施例３】
【００６０】
図４は本発明の実施例３の画像読取装置の要部概略図である。同図においては本発明の画像読取装置を、イメージスキャナーの装置に適用したときを示している。同図において図１に示した要素と同一要素には同符番を付している。
【００６１】
本実施例において前述の実施例１と異なる点は、第２ミラー３０４ｂ、第３ミラー３０４ｃを多重反射ミラーより構成し、各ミラーを適切に配置してキャリッジ３０７を構成したことである。その他の構成及び光学的作用は実施例１と同様であり、これにより同様な効果を得ている。
【００６２】
本実施例において走査用の複数のミラーは第１，第２，第３，第４ミラー３０４ａ，３０４ｂ，３０４ｃ，３０４ｄの４枚のミラーより成っている。
【００６３】
本実施例では原稿１０１からの光束が、第１ミラー３０４ａで反射された後、第２ミラー３０４ｂへ入射し、該第２ミラー３０４ｂで反射された光束が第３ミラー３０４ｃへ入射するように各ミラーを配置している。さらに第３ミラー３０４ｃで反射された光束（主光線）が、第１ミラー３０４ａと第２ミラー３０４ｂとの間の光路を交差して通過後、再度第２ミラー３０４ｂへ入射するように各ミラーを配置している。さらに第２ミラー３０４ｂで反射された光束が第４ミラー３０４ｄへ入射し、該第４ミラー３０４ｄで反射された光束が、第１ミラー３０４ａと第２ミラー３０４ｂとの間の光路を交差して通過後、再度第３ミラー３０４ｃへ入射するように各ミラーを配置している。さらに第３ミラー３０４ｃで反射された光束が結像レンズ１０６に入射するように各ミラーを配置している。
【００６４】
また本実施例では複数のミラーのうち光学的に最も原稿面１０１側に配置される第１ミラー３０４ａを、副走査断面内においてキャリッジ３０７の左側の端部（左端）に配置している。さらに第１ミラー３０４ａの反射面の中心部を、上下方向において、光学的に最も結像レンズ１０６の入射面前方に配置された第３ミラー３０４ｃの反射面の中心部と他の第２、第４ミラー３０４ｂ、３０４ｄの反射面の中心部との間の空間に配置している。
【００６５】
また本実施例では第３ミラー３０４ｃと結像レンズ１０６は、第１、第２、第４ミラー３０４ａ、３０４ｂ、３０４ｄよりも物理的に原稿面１０１から遠く（下側）に配置されている。
【００６６】
本実施例において、キャリッジ３０７内の左端に配置された光源手段１０３とミラー１０９を含む照明系１１１により放射された光束は原稿１０１の下面を照明し、原稿１０１からの拡散光束の一部が図４において鉛直下方へ進む。鉛直下方へ進んだ光束はキャリッジ３０７の左端に配置された第１ミラー３０４ａに入射する。第１ミラー３０４ａに入射した光束は特定の角度でキャリッジ３０７の右端へ反射され、キャリッジ３０７の右端側に配置された第２ミラー３０４ｂに入射する。第２ミラー３０４ｂに入射した光束は特定の角度でキャリッジ３０７の左下方へ反射され、キャリッジ３０７の左下側に配置された第３ミラー３０４ｃに入射する。第３ミラー３０４ｃに入射した光束は特定の角度でキャリッジ３０７の右上方へ反射され、再び第２ミラー３０４ｂへ入射する。第２ミラー３０４ｂへ入射した光束は特定の角度でキャリッジ３０７の左端へ反射され、光源手段１０３の右側に配置された第４ミラー３０４ｄに入射する。光源手段１０３の右側に配置された第４ミラー３０４ｄに入射した光束は、特定の角度でキャリッジ３０７の下方へ反射され、再び第３ミラー３０４ｃに入射する。第３ミラー３０４ｃに入射した光束は、原稿面１０１に対して水平方向に反射され、結像レンズ１０６によりラインセンサー１０５面上に結像する。そしてキャリッジ３０７を図４に示す矢印Ａ方向（副走査方向）に移動させることにより、原稿１０１の画像情報を読み取っている。
【００６７】
本実施例では前述した実施例１と同様に複数のミラーは各条件式(1)〜(4)を満たすように配置されている。本実施例では、
ａ＝7.7ｍｍ、ｂ＝21.8ｍｍ、ｃ＝13.0ｍｍ、ｄ＝33.0ｍｍ
であり、これら各数値を上記条件式(1)〜(4)に当てはめると、
条件式(1)  ａ＜ｃ＜ｂ＜ｄ＝7.7ｍｍ＜13.0ｍｍ＜21.8ｍｍ＜33.0ｍｍ
条件式(2)  ａ／ｂ＝0.35
条件式(3)  ａ／ｄ＝0.23
条件式(4)  ｄ＝33.0ｍｍ
となる。これは各条件式(1)〜(4)を全て満足している。
【００６８】
更に本実施例において第１ミラー３０４ａの反射面は、副走査断面内においてキャリッジ３０７の最下部に配置された第３ミラー３０４ｃの反射面が含まれる平面よりも、原稿面１０１から遠い方向に配置されている。
【００６９】
このように本実施例では上記の如くキャリッジ３０７を有する画像読取装置において、複数のミラーを含めた各要素の配置等を適切に設定することにより、該キャリッジ３０７の小型化、特に上下方向の小型化を図ると共に装置全体の小型化を図ることができる。
【００７０】
尚、上記に示した各実施例以外にも、各請求項の構成要件を満たしていれば、一体型走査光学系ユニットの各部材をどのように構成しても良い。これによれば前述した効果が得られる。
【図面の簡単な説明】
【００７１】
【図１】本発明の実施例１の要部構成図
【図２】本発明の実施例１におけるミラー配置部の拡大図
【図３】本発明の実施例２の要部構成図
【図４】本発明の実施例３の要部構成図
【図５】従来の画像読取装置の要部構成図
【符号の説明】
【００７２】
１  画像読取装置
１０１  原稿（画像）
１０２  原稿台
１０３  光源手段
１０４ａ，１０４ｂ，１０４ｃ，１０４ｄ  ミラー
２０４ａ，２０４ｂ，２０４ｃ，２０４ｄ  ミラー
３０４ａ，３０４ｂ，３０４ｃ，３０４ｄ  ミラー
１０７，２０７，３０７  一体型走査光学系ユニット（キャリッジ）
１０６  結像光学系
１０５  読取手段（ラインセンサー）
１０８  駆動手段（副走査モータ）
【図１】
2008067151.tif 000003
【図２】
2008067151.tif 000004
【図３】
2008067151.tif 000005
【図４】
2008067151.tif 000006
【図５】
2008067151.tif 000007